(57)【要約】【課題】各種事業者や一般家庭などにおいて日常用いられている商用交流電力の場合、発電所において発電され、送電経過を経てそれぞれの電力需要者に供給される様になっており、一般には最大電力消費量に見合った量の電力が発電される様になっているが、夜間など電力消費が落ち込むときには、余剰な電力が無駄に発電されることになってしまい、発電コスト及び省エネルギーの面からは大きな問題であった。【構成】交流/直流変換器２、大型リチウム二次電池３、直流/交流変換器３及びこれらを制御する制御装置６からなり、発電所９側に設置され、電力事業者から供給される交流商用電流を電力余剰時に直流に変換して大型リチウム二次電池３に一旦貯蔵し、必要に応じて貯蔵電流を取り出し、交流電流に変換した後、各種電気機器へ供給できる様にした。【選択図】        図１
0003105266.tif 000002
【実用新案登録請求の範囲】
【請求項１】
交流/直流変換器２、大型リチウム二次電池３、直流/交流変換器３及びこれらを制御する制御装置６からなり、電力需要者１１側に設置され、発電所９から供給される交流商用電流を電力余剰時に直流に変換して大型リチウム二次電池３に一旦貯蔵し、必要に応じて貯蔵電流を取り出し、交流電流に変換した後、各種電気機器へ供給する様にしたことを特徴とする電力平準化供給装置。
【請求項２】
交流/直流変換器２、大型リチウム二次電池３、直流/交流変換器３、制御装置６が一個の筺体１中に収容されていることを特徴とする請求項１記載の電力平準化供給装置。
【請求項３】
発電所８及び各電力需要者１１との間で情報の授受を行い、発電状況及び電力需要を逐次把握出来る様になっている需給調整管理センター１２を外部に設け、この需給調整管理センター１２からの指令に基づいて個々の電力需要者１１側に設けられている大型リチウム二次電池３のうち、充電可能なものに余剰な電力を選択的に貯蔵する様にしたことを特徴とする請求項１記載の電力平準化供給装置。
【考案の詳細な説明】
【技術分野】
【０００１】
この考案は電力平準化供給装置、詳しくは、余剰な電力を一旦貯蔵出来る様にし、電力供給効率を向上させ、電力を有効利用出来る様にした電力平準化供給装置に関するものである。
【背景技術】
【０００２】
各種事業者や一般家庭などにおいて日常用いられている商用交流電力の場合、発電所において発電され、送電経過を経てそれぞれの電力需要者に供給される様になっており、一般には最大電力消費量に見合った量の電力が常時発電される様になっている。
【特許文献１】なし。
【非特許文献１】なし。
【考案の開示】
【考案が解決しようとする課題】
【０００３】
しかしながら、夜間など電力消費が落ち込むときには、余剰な電力が無駄に発電されることになってしまい、発電コスト及び省エネルギーの面からは大きな問題であった。
【０００４】
余剰な電力を需要者側において一旦貯蔵出来れば、電力の供給を平準化でき、効率的な発電が可能となり、発電コストの低下にもつながることは明らかであるが、商用交流電力の場合、その貯蔵は極めてむずかしく、従来においては電力供給を平準化できる実用的な装置は提案されていなかった。
【０００５】
本考案者は、商用交流電力の安定的で効率的な供給に関する上記問題点を解決すべく研究を行った結果、需要者側に設置して、余剰電力を一旦貯蔵し、電力供給を平準化できる実用的な装置を開発することに成功し、本考案としてここに提案するものである。
【課題を解決するための手段】
【０００６】
交流/直流変換器２、大型リチウム二次電池３、直流/交流変換器３及びこれらを制御する制御装置６からなり、電力需要者１１側に設置され、発電所９から供給される交流商用電流を電力余剰時に直流に変換して大型リチウム二次電池３に一旦貯蔵し、必要に応じて貯蔵電流を取り出し、交流電流に変換した後、各種電気機器へ供給できる様にして上記課題を解決した。又、発電所８及び各電力需要者１１との間で情報の授受を行い、発電状況及び電力需要を逐次把握出来る様になっている需給調整管理センター１２を外部に設け、この需給調整管理センター１２からの指令に基づいて個々の電力需要者１１側に設けられている大型リチウム二次電池３のうち、充電可能なものに余剰な電力を選択的に貯蔵する様にして、上記課題を解決した。
【実施例】
【０００７】
図１はこの考案に係る電力平準化供給装置の一実施例のブロック図であり、この電力平準化供給装置はユニット化されており、筺体１中には交流/直流変換器２、大型リチウム二次電池３、直流/交流変換器４の主要な構成要素及び安全装置５、制御装置６、及び電力計７などが組み込まれており、個人住宅、マンション、事業者など個々の電力需要者１１側にそれぞれ設置される。そして、前記交流/直流交換器２には安全装置５、制御装置６、電力計７をそれぞれ介して電力事業会社の発電所８から既設の送電経過９を通って、商用交流電力が供給される様になっており、供給された電力は交流/直流変換器２で直流に変換された後、大型リチウム二次電池３に貯蔵される様になっている。
【０００８】
そして、この大型リチウム二次電池３に貯蔵された電力は、直流/交流変換器４で交流電力に変換され、それぞれの電力需要者１１の給電経路１０に供給され、各種電気機器において消費される様になっている。なお、交流/直流変換器２及び直流/交流変換器４における電力の貯蔵は、制御装置６の制御のもとにおいて行われる。
【０００９】
更に、外部には需給調整管理センター１２が設置されており、網の目状に形成された情報伝達経路１３により、発電所８及び各電力需要者１１との間での情報の逐次授受に基づき、充電可能な電力需要者１１を探し出し、これに発電所８から余剰電力を選択的に供給する様になっている。
【００１０】
この考案は、上記の通りの構成を有するものであり、需給調整管理センター１２は常時個々の電力需要者１１側に設置された充電可能な大型リチウム二次電池３を探しており、充電可能な大型リチウム二次電池３が見付かると、これに余剰な電力を選択的に供給し、充電を行う。この大型リチウム二次電池３に貯蔵された電力は必要に応じて取り出され、直流/交流変換器４において交流に変換されて一般家庭など個々の電力需要者１１の給電経路１０に供給され、各種電気機器に送られる。
【００１１】
この様に、余剰な電力は需給調整管理センター１２のコントロールに基づき送電経路９を経て個々の電力需要者１１側において貯蔵されるので、余剰な電力を浪費することはなくなり、電力供給を平準化して、安定的な発電業務を実施出来、発電コストの低減化を図ることが出来る様になる。又、大型リチウム二次電池３は軽量で容積も小さいので、設置しやすく設置コストも少なくてすみ、高い実用的価値を有している。
【図面の簡単な説明】
【００１２】
【図１】この考案に係る電力平準化供給装置の一実施例のブロック図。
【符号の説明】
【００１３】
１    筺体
２    交流/直流変換器
３    大型リチウム二次電池
４    直流/交流変換器
５    安全装置
６    制御装置
７    電力計
８    発電所
９    送電経路
１０    給電経路
１１    電力需要者
１２    需給調整管理センター
１３    情報伝達経路
【図１】
0003105266.tif 000003
【手続補正書】
【提出日】平成16年6月30日(2004.6.30)
【手続補正１】
【補正対象書類名】実用新案登録請求の範囲
【補正対象項目名】請求項３
【補正方法】変更
【補正の内容】
【請求項３】
発電所８及び各電力需要者１１との間で情報の授受を行い、発電状況及び電力需要を逐次把握出来る様になっている需給調整管理装置１２を外部に設け、この需給調整管理装置１２からの指令に基づいて個々の電力需要者１１側に設けられている大型リチウム二次電池３のうち、充電可能なものに余剰な電力を選択的に貯蔵する様にしたことを特徴とする請求項１記載の電力平準化供給装置。
【手続補正２】
【補正対象書類名】明細書
【補正対象項目名】全文
【補正方法】変更
【補正の内容】
【考案の詳細な説明】
【技術分野】
【０００１】
この考案は電力平準化供給装置、詳しくは、余剰な電力を一旦貯蔵出来る様にし、電力供給効率を向上させ、電力を有効利用出来る様にした電力平準化供給装置に関するものである。
【背景技術】
【０００２】
各種事業者や一般家庭などにおいて日常用いられている商用交流電力の場合、発電所において発電され、送電経過を経てそれぞれの電力需要者に供給される様になっており、一般には最大電力消費量に見合った量の電力が常時発電される様になっている。
【特許文献１】なし。
【非特許文献１】なし。
【考案の開示】
【考案が解決しようとする課題】
【０００３】
しかしながら、夜間など電力消費が落ち込むときには、余剰な電力が無駄に発電されることになってしまい、発電コスト及び省エネルギーの面からは大きな問題であった。
【０００４】
余剰な電力を需要者側において一旦貯蔵出来れば、電力の供給を平準化でき、効率的な発電が可能となり、発電コストの低下にもつながることは明らかであるが、商用交流電力の場合、その貯蔵は極めてむずかしく、従来においては電力供給を平準化できる実用的な装置は提案されていなかった。
【０００５】
本考案者は、商用交流電力の安定的で効率的な供給に関する上記問題点を解決すべく研究を行った結果、需要者側に設置して、余剰電力を一旦貯蔵し、電力供給を平準化できる実用的な装置を開発することに成功し、本考案としてここに提案するものである。
【課題を解決するための手段】
【０００６】
交流/直流変換器２、大型リチウム二次電池３、直流/交流変換器３及びこれらを制御
する制御装置６からなり、電力需要者１１側に設置され、発電所９から供給される交流商用電流を電力余剰時に直流に変換して大型リチウム二次電池３に一旦貯蔵し、必要に応じて貯蔵電流を取り出し、交流電流に変換した後、各種電気機器へ供給できる様にして上記課題を解決した。又、発電所８及び各電力需要者１１との間で情報の授受を行い、発電状況及び電力需要を逐次把握出来る様になっている需給調整管理装置１２を外部に設け、この需給調整管理装置１２からの指令に基づいて個々の電力需要者１１側に設けられている大型リチウム二次電池３のうち、充電可能なものに余剰な電力を選択的に貯蔵する様にして、上記課題を解決した。
【実施例】
【０００７】
図１はこの考案に係る電力平準化供給装置の一実施例のブロック図であり、この電力平準化供給装置はユニット化されており、筺体１中には交流/直流変換器２、大型リチウム
二次電池３、直流/交流変換器４の主要な構成要素及び安全装置５、制御装置６、及び電
力計７などが組み込まれており、個人住宅、マンション、事業者など個々の電力需要者１１側にそれぞれ設置される。そして、前記交流/直流交換器２には安全装置５、制御装置６、電力計７をそれぞれ介して電力事業会社の発電所８から既設の送電経過９を通って、商用交流電力が供給される様になっており、供給された電力は交流/直流変換器２で直流に変換された後、大型リチウム二次電池３に貯蔵される様になっている。
【０００８】
そして、この大型リチウム二次電池３に貯蔵された電力は、直流/交流変換器４で交流
電力に変換され、それぞれの電力需要者１１の給電経路１０に供給され、各種電気機器において消費される様になっている。なお、交流/直流変換器２及び直流/交流変換器４における電力の貯蔵は、制御装置６の制御のもとにおいて行われる。
【０００９】
更に、外部には需給調整管理装置１２が設置されており、網の目状に形成された情報伝達経路１３により、発電所８及び各電力需要者１１との間での情報の逐次授受に基づき、充電可能な電力需要者１１を探し出し、これに発電所８から余剰電力を選択的に供給する様になっている。
【００１０】
この考案は、上記の通りの構成を有するものであり、需給調整管理装置１２は常時個々の電力需要者１１側に設置された充電可能な大型リチウム二次電池３を探しており、充電可能な大型リチウム二次電池３が見付かると、これに余剰な電力を選択的に供給し、充電を行う。この大型リチウム二次電池３に貯蔵された電力は必要に応じて取り出され、直流/交流変換器４において交流に変換されて一般家庭など個々の電力需要者１１の給電
経路１０に供給され、各種電気機器に送られる。
【００１１】
この様に、余剰な電力は需給調整管理装置１２のコントロールに基づき送電経路９を経て個々の電力需要者１１側において貯蔵されるので、余剰な電力を浪費することはなくなり、電力供給を平準化して、安定的な発電業務を実施出来、発電コストの低減化を図ることが出来る様になる。又、大型リチウム二次電池３は軽量で容積も小さいので、設置しやすく設置コストも少なくてすみ、高い実用的価値を有している。
【図面の簡単な説明】
【００１２】
【図１】この考案に係る電力平準化供給装置の一実施例のブロック図。
【符号の説明】
【００１３】
１    筺体
２    交流/直流変換器
３    大型リチウム二次電池
４    直流/交流変換器
５    安全装置
６    制御装置
７    電力計
８    発電所
９    送電経路
１０    給電経路
１１    電力需要者
１２    需給調整管理装置
１３    情報伝達経路
【手続補正３】
【補正対象書類名】図面
【補正対象項目名】図１
【補正方法】変更
【補正の内容】
【図１】
0003105266.tif 000004